(57)【要約】【課題】１種類、或いはより多くの流体状物質を含んだ２つの密閉チェンバーを持った、内容物が互いに汚染しない、双子式アプリケーターを提供すること。【解決手段】両密閉端部２、３と２つのチェンバー５、６とを備えた細長いハウジング１を含み、各チェンバーには同質、または異質の液体物質が含まれ、打開手段４は両密閉端部２，３の間に配置され、両密閉端部２、３を隔離する。液体物質は各密閉端部の付近に貯えられる。打開手段４を介して細長いハウジング１が切断されると、打開手段４は細長いハウジング１の各段のアプリケーター９となって有効に機能する。【選択図】図１
0003136294.tif 000002
【実用新案登録請求の範囲】
【請求項１】
細長いアプリケーターにおいて、
両端部が密閉された細長いハウジングと、
前記ハウジングの両密閉端部の間に形成された打開手段と、
前記両密閉端部を隔離し、前記細長いハウジングを分割してなる２つの隔離された密閉チェンバーと、
１つまたは１つ以上の前記密閉チェンバー内に含まれた、１つまたは１つ以上の物質とからなる、
双子式アプリケーター。
【請求項２】
前記打開手段は１本の脆弱な断痕線である、請求項１に記載の双子式アプリケーター。
【請求項３】
前記細長いハウジングはプラスチックよりなる、請求項１に記載の双子式アプリケーター。
【請求項４】
前記細長いハウジングはポリプロピレン（Ｐｏｌｙｐｒｏｐｙｌｅｎｅ）、またはポリエチレン（Ｐｏｌｙｅｔｈｙｌｅｎｅ）よりなる。請求項１に記載の双子式アプリケーター。
【請求項５】
前記打開手段には両端部がある剛体支持部と、内蔵されたアプリケーター先端と、前記各アプリケーター先端に形成された断痕線とを含み、前記剛体支持部には１つ、または１つ以上のホールが、前記剛体支持部の各端部から延長して前記断痕線を通過するも、前記剛体支持部の他端部を通過しない、請求項１に記載の双子式アプリケーター。
【請求項６】
前記各内蔵されたアプリケーター先端は、２つの相隣れる球体を形成している、請求項５に記載の双子式アプリケーター。
【請求項７】
前記各内蔵されてアプリケーター先端は、前記剛体支持部の両端部の間で１つの狭小区を形成している、請求項５に記載の双子式アプリケーター。
【請求項８】
前記ホールの中には吸収性物質が配置されている、請求項５に記載の双子式アプリケーター。
【請求項９】
前記打開手段の周囲には、吸収性物質が環設されている、請求項５に記載の双子式アプリケーター。
【請求項１０】
前記吸収性物質は１組の綿、フォーム、及びスポンジの材料の中から選用される、請求項９に記載の双子式アプリケーター。
【請求項１１】
前記打開手段には両端部がある剛体支持部と、内蔵されたアプリケーター先端と、１つ、または１つ以上の貫通孔とを含み、前記貫通孔は前記剛体支持部の１端部からその他の端部に貫通し、また１本の断痕線が前記各内蔵されたアプリケーター先端に形成されている、請求項１に記載の双子式アプリケーター。
【請求項１２】
前記各内蔵されたアプリケーター先端は２つの相隣れる球体を形成している、請求項１１に記載の双子式アプリケーター。
【請求項１３】
前記各内蔵されたアプリケーター先端は、前記剛体支持部の両端部の間で１つの狭小区を形成している、請求項１０に記載の双子式アプリケーター。
【請求項１４】
前記１つ、または１つ以上のホールの中には吸収性物質が配置されている、請求項１１に記載の双子式アプリケーター。
【請求項１５】
前記打開手段の周囲には、吸収性物質が環設されている、請求項１１に記載の双子式アプリケーター。
【請求項１６】
前記吸収性物質は１組の綿、フォーム、及びスポンジの材料の中から選用される、請求項１５に記載の双子式アプリケーター。
【請求項１７】
細長いアプリケーターにおいて、
両端部が密閉された細長いハウジングと、
前記ハウジングの両密閉端部の間に形成された打開手段と、
前記両密閉端部を隔離し、前記細長いハウジングを分割してなる２つの隔離された密閉チェンバーと、
１つ、または１つ以上の前記密閉チェンバー内に配置された細長い構体と、
前記各密閉チェンバー内に含まれた物質とからなる、
双子式アプリケーター。
【請求項１８】
細長いアプリケーターにおいて、
両端部が密閉された細長いハウジングと、
前記ハウジングの両密閉端部の間に形成された打開手段と、
前記細長いハウジング内に含まれた物質とからなる、
双子式アプリケーター。
【請求項１９】
前記吸収性物質は１組の綿、ふぉーむ及びスポンジの材料の中から選用される、請求項１８に記載の双子式アプリケーター。
【請求項２０】
前記吸収性物質中には、１種の物質を含んでいる、請求項９、１５、或いは１８に記載の双子式アプリケーター。
【考案の詳細な説明】
【技術分野】
【０００１】
本考案は例えば流体状の物質を含んだアプリケーターに関するもので、更に詳しく言えば、１種類、あるいはより多くの流体状物質を含んだ、２つのチェンバーを持った双子式アプリケーターに関するものである。
【背景技術】
【０００２】
一般に塗布式のアプリケーターは１本のチューブ状取手の１端、または両端にアプリケーターの先端が取り付けられている。この先端は綿、或いはフォームのような吸収材料からなり、チューブ状取手は木材、紙、またはプラスチックから作られ、ソリッドや中空に形成されている。
【０００３】
塗布式のアプリケーターはその用途が広く、且つ便利で衛生的である。
塗布に使用される物質は例えば、液体、ローション、クリーム、各種化学剤や薬品など多様である。乾燥したアプリケーターの先端で先ず、塗布用の液体と接触し、これを吸収した後、このぬれたアプリケーター先端で対象物の表面を塗布するのである。
【０００４】
場合によっては２種類の液体を別々に貯え、使用に当たり、これらを混合したり、順序に従って使用する。
この際２つの別々な塗布用アプリケーターが必要となる。
もしただ１つのアプリケーターしかない場合は、先ずアプリケーターを第１種類の液体に接触させ、引続いて第２種の液体に接触させる。
このようにただ１つのアプリケーターで２種類の液体を使用する場合、後の液体が前の液体を汚染することになる。
【考案の開示】
【考案が解決しようとする課題】
【０００５】
本考案の目的は、２つのチェンバーを持つアプリケーターであって、各室には液体の物質を含ませ、両チェンバーは互いに分離し、その中の物質は同じでも、異なったものでもよい。両チェンバーの間は１本、またはより多くの通路で連絡し、物質がこのチェンバーから他のチェンバーに入れるような、双子式アプリケーターを提供することにある。
【課題を解決するための手段】
【０００６】
このような双子式アプリケーターには、両端部が密閉された細長いハウジングと、ハウジングの両密閉端部の間に形成された打開手段と、両密閉部を隔離し、細長いハウジングを分割してなる２つの隔離された密閉チェンバーと、１つまたは１つ以上の密閉チェンバー内に含まれた、１つまたは１つ以上の物質とからなる、双子式アプリケーターを提供した。打開手段が一旦作動すれば細長いハウジングは開放され、打開手段は細長いハウジング各段のアプリケーターとして、有効に機能を発揮するのである。
【考案の効果】
【０００７】
本考案は、１種類、或いはより多くの流体状物質を含んだ２つの密閉チェンバーを持った、内容物が互いに汚染しない、双子式アプリケーターを提供することことが可能となる。
【考案を実施するための最良の形態】
【０００８】
以下に図面を参照しながら、本考案の各実施例を説明する。以降の説明は本考案を制限するものではなく、当業者であれば本明細書を詳読すれば、他の実施形態に思い及ぶことが可能である。
【０００９】
本考案の双子式アプリケーターは、２つのチェンバーを含むアプリケーターであって、各チェンバーの中には例えば液状物質を含んでいる。
１つの実施例では両チェンバーは互いに分離され、その中には同じ、もしくは異なった物質を含んでいる。
更に１つの実施例では、両チェンバー間に１本、或いはより多い通路で連絡され、物質がこのチェンバーから他のチェンバーに入れるようになっている。
【００１０】
この実施例では図１に示すように、双子式アプリケーターには細長いハウジング１と両密閉端部２、３が含まれている。
細長いハウジング１はプラスチックの例えばポリプロピレン（Ｐｏｌｙｐｒｏｐｙｌｅｎｅ）、またはポリエチレン（Ｐｏｌｙｅｔｈｙｌｅｎｅ）により好適に製作され、細長いハウジング１は剛体、或いはフレキシブルな構体から作られている。
打開手段４は両密閉端部２、３の間に配置され、両密閉端部２、３を隔離して、２つのチェンバー５、６を形成している。
打開手段４は１本の脆弱な断痕線７であることが好ましい。断痕線７をその付近で折り曲げれば、細長いハウジング１は２段に分割されるのである。
【００１１】
この実施例では打開手段７には１つの剛体支持部８が含まれ、その中央部付近にはアプリケーター先端９が内蔵されている。
断痕線７は内蔵状のアプリケーター先端９に位置し、細長いハウジング１の両密閉端部２、３の間に抵触しており、フレキシブルな細長いハウジング１が折り曲げられたとき、細長いハウジング１を打開する。
この場合剛体支持部８も折り曲げられて、断痕線７に沿って２つになる。
剛体支持部８には１つ、またはそれ以上のホール１０、１１が開設され、剛体支持部８の各端部から延長し、断痕線７を通過するが、剛体支持部８の他端部を超越しない。
この実施例では両チェンバー５、６には互いに相異なる物質が貯えられている。
【００１２】
剛体支持部８が折り曲げられたとき、断痕線７に沿って２つになり、１本、またはそれ以上の流体通路を形成して、貯存された物質から今、打開されたばかりの剛体支持部８の端部に至る。
この断痕線７が形成された剛体支持部８は、内蔵状アプリケーター９において断痕線７に沿って折れ、細長いハウジング１の各段のアプリケーター先端９となる。
剛体支持部８と断痕線７が内蔵状アプリケーター９に位置していることを利用して、細長いハウジング１を２段に作成し、剛体支持部８の両端部に取り付けることができる。
各密閉チェンバー５、６内には、例えば液体、クリーム、或いは粉剤などの物質が貯存できる。打開手段４が動作して細長いハウジング１が開放されたとき、打開手段７は細長いハウジング１各段のアプリケーター先端として有効に機能し、各チェンバー５、６内の物質を分配するのである。
細長いハウジング１がフレキシブルであるならば、各チェンバー５、６を加圧し、アプリケーター先端から内容物を搾出できるのである。
【００１３】
図２に示すように打開手段４の周囲にさらに吸収性物質１２、例えば綿、フォーム、またはスポンジを環設すれば、打開手段４が動作して細長いハウジング１がその内容物を釈出したとき、吸収性物質１２に吸収されて利用される。
吸収性物質１２は、例えば粉剤のようなものであってもよく、細長いハウジング１の内容物とよく混合できるようにする。
細長いハウジング１を折り曲げ、その密閉端部２、３を隣接させて１つのアプリケーターとする。
その長さは約細長いハウジング１の半分となり、その釈出された内容物が吸収性物質１２と混合すれば、アプリケーターはこれを利用して必要な対象物に塗布するのである。
【００１４】
図３は双子式アプリケーターのもう１つの実施例図である。
この実施例では剛体支持部８には１つ、またはそれ以上の貫通孔１３が開設され、剛体支持部８の１端部から他端部に貫通している。
剛体支持部８を折り曲げたとき、断痕線７に沿って２段に分断され、１本、またはそれ以上の流体通路が形成され、貯存された物質から今打開したばかりの剛体支持部８の端部に至る。
この断痕線７が形成された剛体支持部８は内蔵状アプリケーター９において断痕線７に沿って折れ、細長いハウジング１の各段のアプリケーター先端９となる。
【００１５】
図４に示すように打開手段４の周囲に更に吸収性物質１２、例えば綿、フォーム、またはスポンジを環説すれば、打開手段４が動作して細長いハウジング１がその内容物を釈出したとき、吸収性物質１２に吸収されて利用される。
吸収性物質１２は、例えば粉剤のようなものであってもよく、細長いハウジング１の内容物とよく混合できるようにする。
細長いハウジング１を折り曲げ、その密閉端部２、３を隣接させて１つのアプリケーターとする。その長さは約細長いハウジングの半分となり、その釈出された内容物が吸収性物質１２と混合すれば、アプリケーターはこれを利用して必要な対象物に塗布するのである。
【００１６】
図５は双子式アプリケーターのまた１つの実施例図である。
この実施例では剛体支持部１４には１つ、またはそれ以上の貫通孔１５が開設され、剛体支持部１４の１端部から他端部に貫通している。内蔵状アプリケーター先端１６は剛体支持部１４の中央部付近に位置し、互いに抵触した２つん相隣れる球体を形成し、両球体の間には１本の断痕線１７が存在する。
剛体支持部１４が折り曲げられたとき、２つに断裂し、断痕線１７に沿って円形のアプリケーター１６となる。
【００１７】
図６は双子式アプリケーターの更に１つの実施例図である。
この実施例では剛体支持部１８には１つ、またはそれ以上の貫通孔１９が開設され、剛体支持部１８の１端部から他端部に貫通している。
内蔵状アプリケーター先端２０は剛体支持部１８の中央部付近に位置し、剛体支持部１８の中央部付近に１つの狭小区を形成している。
断痕線２１はこの狭小区に位置している。剛体支持部１８を折り曲げれば２つに折れ、断痕線２１に沿って２つの狭小なアプリケーター先端２０となるのである。
【００１８】
図７は双子式アプリケーターの更にもう１つの実施例図である。
この実施例では剛体支持部９には１つ、またはそれ以上の貫通孔１３が開設され、剛体支持部９の１端部から他端部に貫通している。
各貫通孔１３内には吸収性物質２２、例えば綿、フォーム、またはスポンジが挿入され、貫通孔１３の両端から突出している。
剛体支持部８を折り曲げれば、断痕線１７に沿って切断されて２つに分離し、１本、またはそれ以上の流体通路を形成して貯存された物質から、今打開されたばかりの剛体支持部８の端部に至る。
吸収性物質２２は、細長いハウジング１内の物質の抽出率を緩和し、吸収性物質２２の応用状態を制御する。
断痕線１７を持った剛体支持部８は内蔵状アプリケーター先端において断痕線１７に沿って切断され、細長いハウジング１各段のアプリケーター先端となるのである。
【００１９】
図８は双子式アプリケーターの更にまた１つの実施例図である。
この実施例では剛体支持部８には１つ、またはそれ以上のホール１０、１１が開設され、剛体支持部８の各端部から延長し、断痕線７を通過するが、剛体支持部８の他端部を超越しない。
この実施例では両チェンバー５、６には互いに相異なる物質が貯えられている。各ホール１０、１１内には吸収性物質２３、例えば綿、フォーム、またはスポンジが挿入され、各々ホール１０、１１の開放端部から突出している。
【００２０】
剛体支持部８を折り曲げれば、断痕線７に沿って切断されて２つに分離し、吸収性物質２３の一部分は断痕線７の表面から突出し、１本、またはそれ以上の流体通路を形成し、貯存された物質から、今打開されたばかりの剛体支持部８の開放端部に至る。
【００２１】
吸収性物質２３は、細長いハウジング１内の物質の抽出率を緩和し、吸収性物質２３の応用状態を制御する。
断痕線７を持った剛体支持部８は内蔵状アプリケーター先端において断痕線７に沿って切断され、細長いハウジング１各段のアプリケーター先端となるのである。
【００２２】
図９は双子式アプリケーターの更にもう１つの実施例図である。
この実施例では、双子式アプリケーターは両密閉端部２、３のある細長いハウジング１を含み、１本の断痕線７が両密閉端部２、３の間に形成されている。
【００２３】
１つの細長い構体２４が各密閉端部２、３に付着し、断痕線７付近に伸張している。
断痕線７の付近で細長いハウジング１を折り曲げれば、細長いハウジング１は断痕線７に沿って２つに切断され、各切断された部分は１つの細長い構体２４を被覆し、ちょうど断痕線７以内に止どまる。
【００２４】
細長い構体２４は細長いハウジング１内の物質の毛細管作用を助長し、且つその表面張力の破壊に寄与して、小直径の細長いハウジング１を圧縮しなくても、その中の物質の抽出を容易にする。
このため、細長いハウジング１内の物質はた易く、構体２４の周囲に流出できるのである。又、１つか、或いは２つの密閉端部２、３上に綿、フォーム、またはスポンジなどの吸収性物質を装着して、アプリケーターとして使用することもできるのである。
【００２５】
図１０は双子式アプリケーターの更にまた１つの実施例図である。
この実施例図では、双子式アプリケーターは両密閉端部２、３のある細長いハウジング１を含み、例えば綿、フォーム、またはスポンジからなる吸収性物質２５が各密閉端部２、３に装着されている。
【００２６】
吸収性物質２５は例えば、細長いハウジング１の内容物とよく混合する粉剤であってもよい。
断痕線７は両密閉端部２、３の間に形成されている。
【００２７】
断痕線７の付近で細長いハウジング１を折り曲げたとき、細長いハウジング１は断痕線７に沿って２段に分離し、その１段内に含まれる吸収性物質２５は断痕線７と相隣れる他端部内の物質と物理的に接触してこれを吸収し、利用に供するのである。
【００２８】
本考案は上述した実施例の記載に限定されず、当業者が適宜行なう変更や、置き換えも本考案に包含されるべきものである。
【図面の簡単な説明】
【００２９】
【図１】本考案に係る双子式アプリケーターの好適な実施例図である。
【図２】本考案に係る双子式アプリケーターのその他の実施例図である。
【図３】本考案に係る双子式アプリケーターのその他の実施例図である。
【図４】本考案に係る双子式アプリケーターのその他の実施例図である。
【図５】本考案に係る双子式アプリケーターのその他の実施例図である。
【図６】本考案に係る双子式アプリケーターのその他の実施例図である。
【図７】本考案に係る双子式アプリケーターのその他の実施例図である。
【図８】本考案に係る双子式アプリケーターのその他の実施例図である。
【図９】本考案に係る双子式アプリケーターのその他の実施例図である。
【図１０】本考案に係る双子式アプリケーターのその他の実施例図である。
【符号の説明】
【００３０】
１：細長いハウジング                ２、３：密閉端部
４：打開手段                        ５、６：密閉チェンバー
７、１７、２１：断痕線              ９、２０：アプリケーター先端
８、１４、１８：剛体支持部          １０、１１：ホール
１２、２２、２３、２５：吸収性物質
１３、１５、１９：貫通孔            １６：円形のアプリケーター
２４：細長い構体
【図１】
0003136294.tif 000003
【図２】
0003136294.tif 000004
【図３】
0003136294.tif 000005
【図４】
0003136294.tif 000006
【図５】
0003136294.tif 000007
【図６】
0003136294.tif 000008
【図７】
0003136294.tif 000009
【図８】
0003136294.tif 000010
【図９】
0003136294.tif 000011
【図１０】
0003136294.tif 000012
【手続補正書】
【提出日】平成19年8月21日(2007.8.21)
【手続補正１】
【補正対象書類名】実用新案登録請求の範囲
【補正対象項目名】全文
【補正方法】変更
【補正の内容】
【実用新案登録請求の範囲】
【請求項１】
細長いアプリケーターにおいて、
両端部が密閉された細長いハウジングと、
前記ハウジングの両密閉端部の間に形成された打開手段と、
前記両密閉端部を隔離し、前記細長いハウジングを分割してなる２つの隔離された密閉チェンバーと、
１つまたは１つ以上の前記密閉チェンバー内に含まれた、１つまたは１つ以上の物質とからなる、
双子式アプリケーター。
【請求項２】
前記打開手段は１本の脆弱な断痕線である、請求項１に記載の双子式アプリケーター。
【請求項３】
前記細長いハウジングはプラスチックよりなる、請求項１に記載の双子式アプリケーター。
【請求項４】
前記細長いハウジングはポリプロピレン（Ｐｏｌｙｐｒｏｐｙｌｅｎｅ）、またはポリエチレン（Ｐｏｌｙｅｔｈｙｌｅｎｅ）よりなる、請求項１に記載の双子式アプリケーター。
【請求項５】
前記打開手段には両端部がある剛体支持部と、内蔵されたアプリケーター先端と、前記各アプリケーター先端に形成された断痕線とを含み、前記剛体支持部には１つ、または１つ以上のホールが、前記剛体支持部の各端部から延長して前記断痕線を通過するも、前記剛体支持部の他端部を通過しない、請求項１に記載の双子式アプリケーター。
【請求項６】
前記各内蔵されたアプリケーター先端は、２つの相隣れる球体を形成している、請求項５に記載の双子式アプリケーター。
【請求項７】
前記各内蔵されてアプリケーター先端は、前記剛体支持部の両端部の間で１つの狭小区を形成している、請求項５に記載の双子式アプリケーター。
【請求項８】
前記ホールの中には吸収性物質が配置されている、請求項５に記載の双子式アプリケーター。
【請求項９】
前記打開手段の周囲には、吸収性物質が環設されている、請求項５に記載の双子式アプリケーター。
【請求項１０】
前記吸収性物質は１組の綿、フォーム、及びスポンジの材料の中から選用される、請求項９に記載の双子式アプリケーター。
【請求項１１】
前記打開手段には両端部がある剛体支持部と、内蔵されたアプリケーター先端と、１つ、または１つ以上の貫通孔とを含み、前記貫通孔は前記剛体支持部の１端部からその他の端部に貫通し、また１本の断痕線が前記各内蔵されたアプリケーター先端に形成されている、請求項１に記載の双子式アプリケーター。
【請求項１２】
前記各内蔵されたアプリケーター先端は２つの相隣れる球体を形成している、請求項１１に記載の双子式アプリケーター。
【請求項１３】
各内蔵されたアプリケーター先端は、前記剛体支持部の両端部の間で１つの狭小区を形成している、請求項１０に記載の双子式アプリケーター。
【請求項１４】
１つ、または１つ以上のホールの中には吸収性物質が配置されている、請求項１１に記載の双子式アプリケーター。
【請求項１５】
前記打開手段の周囲には、吸収性物質が環設されている、請求項１１に記載の双子式アプリケーター。
【請求項１６】
前記吸収性物質は１組の綿、フォーム、及びスポンジの材料の中から選用される、請求項１５に記載の双子式アプリケーター。
【請求項１７】
細長いアプリケーターにおいて、
両端部が密閉された細長いハウジングと、
前記ハウジングの両密閉端部の間に形成された打開手段と、
前記両密閉端部を隔離し、前記細長いハウジングを分割してなる２つの隔離された密閉チェンバーと、
１つ、または１つ以上の前記密閉チェンバー内に配置された細長い構体と、
前記各密閉チェンバー内に含まれた物質とからなる、
双子式アプリケーター。
【請求項１８】
細長いアプリケーターにおいて、
両端部が密閉された細長いハウジングと、
前記ハウジングの両密閉端部の間に形成された打開手段と、
前記細長いハウジング内に含まれた物質とからなる、
双子式アプリケーター。
【請求項１９】
吸収性物質は１組の綿、フォーム、及びスポンジの材料の中から選用される、請求項１８に記載の双子式アプリケーター。
【請求項２０】
吸収性物質中には、１種の物質を含んでいる、請求項９、１５、或いは１８に記載の双子式アプリケーター。